(57)【要約】【課題】  本発明の課題は、卓上切断機の生産性、作業性を向上させると共に、長期に渡り正確な卓上切断機の角度インデックス装置を提供することである。【解決手段】  係止手段の少なくとも１つの係止箇所を形成する係止部１６を可動とし、該係止部１６がターンテーブル２を係止する機能のオン・オフを選択できるようにした。また、係止手段の少なくとも１つの係止箇所を形成する係止部１６をターンテーブル２の回動方向に沿って移動可能で且つ移動位置で固定可能とした。【選択図】  図１
2007090775.tif 000002
【特許請求の範囲】
【請求項１】
被切断材を載置可能なベースと、該ベースに固定された被切断材を当接させる当接面を有するフェンスと、丸のこ刃を回転可能に支持する丸のこ部と、前記丸のこ部を前記丸のこ刃の軸方向とほぼ平行な揺動軸を支点として揺動可能に支持する支持部材と、前記フェンスの当接面に対する前記丸のこ刃側面の角度を変更可能にベース内に埋設されたターンテーブルと、該ターンテーブルを任意角度に複数個所で係止する係止手段を有する卓上切断機において、前記係止手段の少なくとも１つの係止箇所を形成する係止部を可動とし、該係止部が前記ターンテーブルを係止する機能のオン・オフを選択できるようにしたことを特徴とする卓上切断機。
【請求項２】
前記係止部を固定する固定手段を軸として前記係止部を回動させることで前記オン・オフが切替わることを特徴とする請求項１記載の卓上切断機。
【請求項３】
前記係止部は、着脱可能であることを特徴とする請求項１あるいは請求項２記載の卓上切断機。
【請求項４】
前記係止部は、前記ターンテーブルの回動方向に沿って移動可能で且つ移動位置で固定可能であることを特徴とする請求項１〜請求項３のいずれか１項記載の卓上切断機。
【請求項５】
前記係止部は、少なくとも、前記ターンテーブルが基準角度から３０度回動した位置で前記ターンテーブルの回動を規制する位置から３１．６度回動した位置で前記ターンテーブルの回動を規制する位置へと移動可能であることを特徴とする請求項４記載の卓上切断機。
【請求項６】
前記係止手段の前記係止箇所は、前記ベースに設けられ、前記ターンテーブルと一体となって前記ベースに対して回動するよう設けられた凸部と係合可能な複数の凹部からなり、前記係止部は凹部を有する一面、凹部を有さない他の面を持つ形状をし、前記凹部を有する一面を前記凸部と係合可能な状態とすることで該係止部が前記ターンテーブルの回動を規制可能であり、前記凹部を有さない他の面を前記凸部と当接可能な状態とすることで該係止部が前記ターンテーブルの回動を規制できなくすることを特徴とする請求項１記載の卓上切断機。
【発明の詳細な説明】
【技術分野】
【０００１】
本発明は、ターンテーブル角度のインデックス装置を備えた卓上切断機に関するものである。
【背景技術】
【０００２】
卓上切断機は主に木材等を所定の角度で切断する機械であり、切断する角度はベースに設けられた角度スケールに従って設定するが、作業性向上のため、良く使用する角度（例えば０、１５、２２．５、３０、４５度等）はターンテーブルの回動がストップするように角度インデックス装置が設けられている。
【０００３】
従来のインデックス方式には特許文献１に開示されているように、ベースの外周に設けられた凹部にターンテーブル側に取付けられたプレートの凸部が嵌合し係止するものや、特許文献２に開示されているように、ベースの外周に設けられたロック孔にターンテーブル側に取付けられたロックピン先端が嵌合し係止するものや、特許文献３に開示されているように、ベースに設けられたＶ溝部にスチールボールが嵌合し係止するもの等がある。いずれの文献でも係止部はベースに直接機械加工したり、型により形成しており、一体となっているものであった。
【０００４】
前記した良く使用する角度は製品を使用する国、地域により違いがある。例えば日本では０、１５、２２．５、３０、４５度であるのに対し、米国では０、１５、２２．５、３１．６、４５度になっている。日本と米国とでは３０度と３１．６度の違いが有り、それぞれ出荷先に応じてターンテーブルあるいはベースなどを準備する必要があった。
【０００５】
【特許文献１】特開２００５−１１１８５５号
【特許文献２】特開平９−１３６２５号
【特許文献３】特開平１１−２２６９０５号
【発明の開示】
【発明が解決しようとする課題】
【０００６】
上記した従来の卓上切断機における角度インデックス装置は、係止角度の異なる仕向け先に応じてそれぞれに部品を準備する必要があり生産性が悪いものであった。
【０００７】
また、組立後に調整ができないため、部品のばらつきや、長期間の使用による部品の摩滅等により正確なインデックス角度にならない等の不具合があった。そこで、組立後のインデックス角度を正確にするためには、部品段階で位置精度を向上させる必要があった。
【０００８】
本発明の目的は、上記した従来技術の欠点を解消し、生産性あるいは作業性に優れた卓上切断機を提供することである。
【課題を解決するための手段】
【０００９】
上記目的は、係止手段の少なくとも１つの係止箇所を形成する係止部を可動とし、該係止部がターンテーブルを係止する機能のオン・オフを選択できるようにすることにより達成される。
【００１０】
また、係止手段の少なくとも１つの係止箇所を形成する係止部をターンテーブルの回動方向に沿って移動可能で且つ移動位置で固定可能とすることにより達成される。
【発明の効果】
【００１１】
本発明によれば、係止手段の少なくとも１つの係止箇所を形成する係止部を可動とし、該係止部がターンテーブルを係止する機能のオン・オフを選択できるようにすることにより、例えば出荷先に合わせた部品の仕様に変更することが可能となる。また、インデックス角度に対して若干角度をずらして加工したい場合、インデックスがあると返って作業しにくくなってしまうような場合には、係止機能をオフにすることにより、作業性を向上させることができ、作業者の好みに合わせた仕様とすることができるようになる。
【００１２】
係止手段の少なくとも１つの係止箇所を形成する係止部をターンテーブルの回動方向に沿って移動可能で且つ移動位置で固定可能とすることにより、インデックス角度を調整することができ、位置精度の向上を図ることができる、あるいは、作業者の好みや出荷先に合わせた仕様とすることができるようになる。
【発明を実施するための最良の形態】
【００１３】
本発明卓上切断機の一実施形態を図１〜図８を用いて以下説明する。
【００１４】
図において、ベース１の中央にターンテーブル２を水平方向へ左右４５度以上回動自在に埋設し、ターンテーブル２の上面は、ベース１の上面と同一面になっている。ベース１及びターンテーブル２の上面には木材等の被切断材３が載置されている。ベース１上面には被切断材３の側面を支持する支持面４ａを有するフェンス４が固定されている。ターンテーブル２後端にはホルダシャフト５を介してホルダ６を立設し、ホルダシャフト５の軸心は、ターンテーブル２上面とほぼ一致するように位置されることで、ホルダ６はホルダシャフト５を支点にターンテーブル２の上面を中心に傾斜自在に軸支されている。
【００１５】
図３に示すように、ホルダ６の後部からはホルダシャフト５を中心とする長穴６ａが形成され、長穴６ａにクランプレバー７を貫通させ、クランプレバー７の先端に形成したねじ部がターンテーブル２背面に形成したねじ穴部にねじ嵌合している。クランプレバー７を緩めると、ホルダ６はホルダシャフト５を支点に長穴６ａの範囲内で傾斜し、クランプレバー７を締め付けると、ホルダ６はターンテーブル２とクランプレバー７間に締め付けられ、任意位置で固定される。なお、長穴６ａはホルダ６が左４５度傾斜できる範囲内で形成されており、ホルダ６の突起部６ｃがターンテーブル２に取付けられたボルト８に当接することにより傾斜の範囲が規制されている。
【００１６】
ホルダ６上方にはシャフト９を介してベース１上面に対し上下揺動自在に切断刃物本体１０を軸支している。ホルダ６と切断刃物本体１０の間には切断刃物本体１０を上方に付勢するスプリング１１が設けられている。
【００１７】
切断刃物本体１０は切断刃物軸１２、丸のこなどの切断刃物１３、切断刃物１３を覆うブレードケース１４、切断刃物１３を回転駆動するモートル（図示していない）、モートルのハウジング（図示していない）に取り付けられたハンドル１５で構成されている。
【００１８】
図５〜図８にて本発明を構成する係止手段の構造を説明する。
【００１９】
本発明係止手段は、本実施形態においては、ベース１に取付けられた係止部であるストップピース１６、ターンテーブル２に取付けられたスプリングプレート１７を有する。
【００２０】
図１及び図４から明解なように、ベース１には複数のストップピース１６が設けられている。
【００２１】
ストップピース１６は、図７、８に示す形状をしており、ターンテーブル２に取付けられたスプリングプレート１７の凸部１７ａが係合する凹部１６ａを有し、凹部１６ａの反対側はベース１取付け時ガイド面１ａに当接する平面部１６ｂを有し、ストップピース１６中央には平面部１６ｂと平行方向に長く、図８のように図７のストップピース１６を半回転し凹部１６ａ側を前記ベース１のガイド面１ａに当接してもストップピース１６が取付けられるように長穴１６ｃが設けられた形状をしている。
【００２２】
また、ストップピース１６には長穴１６ｃを貫通するねじ穴１６ｄが設けられており、ねじ穴１６ｄには後述する段付ボルト１８を押圧する押しねじ１９が長穴１６ｃの両側に配設されている。
本実施形態においては本発明固定手段は、段付ボルト１８、押しねじ１９からなる。
【００２３】
また、ストップピース１６のベース取付面１６ｅはベース１の外周面１ｂと同じＲ形状になっている。
【００２４】
ストップピース１６はスプリング等の弾性部材２０、およびワッシャ２１を介し、段付ボルト１８によりストップピース１６をベース１の外周面１ｂへ押圧し取付けられている。また、ストップピース１６は段付ボルト１８に対し水平方向に隙間があるため、ベース１のガイド面１ａに沿って移動可能となり、該移動は段付ボルト１８の両側に設けられた押しねじ１９の操作により行うことができる。
【００２５】
また、スプリングプレート１７は自身の弾性力によって凸部１７ａを図面で上方向に押圧して取付けられているので、位置決めの際はスプリングプレート１７の凸部１７ａがストップピース１６の凹部１６ａに自動的に係合する。ターンテーブル２を回動させる際には、スプリングプレート１７を押し下げ、スプリングプレート１７の凸部１７ａをストップピース１６の凹部１６ａから解除する。なお、本発明「ターンテーブルと一体となってベースに対して回動するよう設けられた凸部」はこのスプリングプレート１７、凸部１７ａである。
【００２６】
また、ターンテーブル２前方に設けられたサイドハンドル２２はターンテーブル２を回転するときに用い、回転操作後はサイドハンドル２２を回し、ターンテーブル２を固定することができる。
【００２７】
また、ターンテーブル２前方には図示していない回転角度検出手段、角度演算制御手段等によりターンテーブル２の回転角度を表示するデジタル表示手段２３が設けられている。
【００２８】
上記構成において、ターンテーブル２を回動させ、スプリングプレート１７の凸部１７ａを予めベース１に取付けられていたストップピース１６の凹部１６ａに嵌合させる。ストップピース１６は良く使用する角度（例えば０、１５、２２．５、３０、４５度等）近傍に複数個取付けられてある。この状態でフェンス４の支持面４ａと切断刃物１０の角度を角度定規等で測定し、その測定値が所定の角度のなるように押しねじ１９を操作し、ストップピース１６を正確な位置へ移動させる。上記操作を行うことにより高精度な角度インデックス装置とすることができる。
【００２９】
本実施例では詳しく説明していないが、ターンテーブル２の角度をデジタル表示する製品においては、デジタル表示の値が部品のばらつきによりインデックス位置の角度と異なる場合があった。このためデジタル表示の表示精度を高くすることができなかった。（例えば０．５度刻みの表示になっていた。）しかし、前記した押しねじの操作によりデジタル表示を正確な値に補正することができるので、デジタル表示の表示精度を高くすることができる。（例えば０．１〜０．２度刻みの表示にできる。）
また、ターンテーブル２の回動方向に沿って移動可能で且つ移動位置で固定可能であるストップピース１６の３０度近傍に取付けられるストップピース１６について、長穴１６ｃの長さ寸法を、少なくとも、ターンテーブル２が基準角度から３０度回動した位置でターンテーブル２の回動を規制する位置から３１．６度回動した位置でターンテーブル２の回動を規制する位置へと移動可能な範囲に設定することによって、日本向けの製品では３０度にセットし、米国向け製品では３１．６度にセットすることでベース１の部品を共用できると共に、使用者の好みに合わせた仕様とすることができるようになる。
【００３０】
また、図８のようにストップピース１６を回転させ、凹部１６ａが凸部１７ａと係合できず、凹部１６ａが設けられていない面１６ｂが凸部１７ａと当接可能なようにストップピース１６を位置させることによって、使用者の好みあるいは作業内容に応じて、ターンテーブル２の角度規制のオン・オフを選択的に切り替えることができるようになる。
【００３１】
また、ストップピース１６を着脱可能としたため、長期間の使用でストップピース１６の凹部１６ａが摩滅し、インデックス角度が変化した場合には、ストップピース１６を交換することにより位置精度の良い状態に復帰させることができるようになる。また、何らかの理由でストップピース１６が破損した場合などにも、新しいストップピース１６に交換し再度使用することができる。
【００３２】
また、ストップピース１６の凹部１６ａが摩滅した場合には、押しねじ１９の操作によりストップピース１６を再度正確な角度位置に修正できる。
【００３３】
なお、上記した実施形態はストップピース１個に対し１個所の凹部で説明したが、複数個の凹部を有したストップピースであっても良い。
【００３４】
また、ストップピース１６をベース１に固定する固定手段が段付ボルト１８と押しねじ１９を有する構成としたが、単にボルトのみからなる固定手段であっても良いと共に他の構成であっても良い。
【００３５】
更に、ストップピース１６を移動させる手段として段付ボルト１８と押しねじ１９を設けたが別な方式であっても良い。
【００３６】
また、本実施形態では、ベース１に係止部であるストップピース１６を設けた構成としたが、係止部をターンテーブルに設け、係止部と係合することでターンテーブルの回動を規制する部材をベースに設けた構成としてもよいものである。
【００３７】
更に、複数のストッパピース１６を設けた構成としたが、１個のストッパピースを有し、他の係止箇所は従来のようにベースあるいはターンテーブルと一体に形成される凹部などからなる攻勢であっても良い。
【図面の簡単な説明】
【００３８】
【図１】本発明卓上切断機の一実施形態を示す要部拡大縦断面図。
【図２】本発明卓上切断機の一実施形態を示す正面図。
【図３】図２に示す卓上切断機の左側面要部拡大図。
【図４】図２に示す卓上切断機の右側面要部拡大図。
【図５】図１の要部拡大図。
【図６】図５のＡ−Ａ線断面図。
【図７】本発明を構成する係止部の一実施形態を示す斜視図。
【図８】図７に示す係止部を回転させた状態を示す斜視図。
【符号の説明】
【００３９】
１はベース、２はターンテーブル、４はフェンス、１６はストップピース、１７はスプリングプレート、１８は取付ボルト、１９は押しねじ、２０は弾器、２１はワッシャである。
【図１】
2007090775.tif 000003
【図２】
2007090775.tif 000004
【図３】
2007090775.tif 000005
【図４】
2007090775.tif 000006
【図５】
2007090775.tif 000007
【図６】
2007090775.tif 000008
【図７】
2007090775.tif 000009
【図８】
2007090775.tif 000010